(57)【要約】【課題】魚の誘引効果が高い複雑な動きをする疑似餌用スカート及びこのようなスカートを有する疑似餌を提供する。【解決手段】ラバージグ１０は、鉛などで形成されたジグヘッド１１、このジグヘッド１１に固定された釣り糸用アイ１２及びフック１３、スカート１４から構成される。前記スカート１４は、フック１３を取り囲むようにジグヘッド１１に取り付けられた複数の紐状体１５から構成される。紐状体１５は断面が長方形状のテープ状に構成されている。一部の紐状体１５の表裏面の一方には凸部が設けられている。水中にラバージグ１０が投入されると、水流を受けて紐状体１５は大きく揺動する。また、凸部を有する紐状体１５は両面の流体抵抗が異なるため、水流を受けたときに複雑に動く。【選択図】図１
2008187907.tif 000002
【特許請求の範囲】
【請求項１】
フックを有するヘッドを備えた疑似餌の前記ヘッドに設けられる疑似餌用スカートにおいて、
前記ヘッドに一端が固定され、柔軟性を有する多数の紐状体から構成され、
前記紐状体の少なくとも一部をテープ状にしたことを特徴とする疑似餌用スカート。
【請求項２】
前記テープ状の紐状体の少なくとも一部は、表裏面の流体抵抗が異なるように構成されていることを特徴とする請求項１に記載の疑似餌用スカート。
【請求項３】
前記テープ状の紐状体の表裏面の少なくとも一方に多数の凹凸が設けられていることを特徴とする請求項２記載の疑似餌用スカート。
【請求項４】
前記テープ状の紐状体の表裏面には異なる形状の多数の凹凸が設けられていることを特徴とする請求項２に記載の疑似餌用スカート。
【請求項５】
前記紐状体には、光を反射するラメ部材が設けられていることを特徴とする請求項１ないし４のいずれかに記載の疑似餌用スカート。
【請求項６】
a)請求項１ないし５のいずれかに記載の疑似餌用スカートと、
b)フックを有し、当該フックを取り囲むように前記スカートが取り付けられたヘッドとを備えた疑似餌。
【発明の詳細な説明】
【技術分野】
【０００１】
本発明は、ルアーフィッシングに用いられる疑似餌用スカート及び疑似餌に関する。
【背景技術】
【０００２】
図７及び図８は、ルアーフィッシングに用いられる疑似餌(ルアー)の一種であるラバージグ型疑似餌１(以下、「ラバージグ」という）及びスピナーベイト型疑似餌２(以下、「スピナーベイト」という）の従来構成を示している。ラバージグ１及びスピナーベイト２は、いずれもジグヘッド３に多数の紐状体４からなるスカート５が取り付けられているところに特徴を有する(非特許文献１参照）。ジグヘッド３はフック(釣り針)６を有しており、スカート５は、前記フック６を取り囲むようにジグヘッド３に固定されている。
前記紐状体４は、合成樹脂や天然ゴム、シリコン樹脂等の柔軟性を有する素材から構成されており、正方形状や円形状の断面形状を有している（図８(ａ）及び（ｂ）参照）。
【０００３】
ラバージグ１やスピナーベイト２は、釣り糸取付部７を介して釣り糸に結びつけられ、水中に投入される。通常、ラバージグ１は水草等が茂る場所に沈められた状態で使用され、スピナーベイト２は主にリールを使って遠投される。いずれの疑似餌も、水中でスカート５が開閉したりヒラヒラと揺れ動くことにより対象となる魚を誘い出して、食いつかせる。使用者は、スカート５に食いついた魚がフック６に引っ掛かかったところで釣り竿を引き上げたりリールを巻き上げたりすることにより当該魚を釣り上げることができる。
【非特許文献１】常吉ネットショップホームページ[平成19年1月29日検索],インターネット<URL:http://www.tsunekichi-shop.net/11.html>
【発明の開示】
【発明が解決しようとする課題】
【０００４】
このように、ラバージグ１やスピナーベイト２におけるスカート５の水中での動きは、対象魚を誘い出し、フック６(スカート５)に食いつかせるための重要な要素となる。
ところが、従来のスカート５は、断面形状が正方形状或いは円形状の細い紐状体４から構成されていたため、水の抵抗が小さく、水に流され易い。このため、例えば図９に示すように、周囲の水流に従ってスカート５が動くことが多く(水流を矢印Ａで、スカートの動きを矢印Ｂで示す)、疑似餌の移動、停止に伴う動きもスカート５を開閉させるといった単純な動きが中心であった。
本発明が解決しようとする課題は、魚の誘引効果が高い複雑な動きをする疑似餌用スカート及びこのようなスカートを有する疑似餌を提供することである。
【課題を解決するための手段】
【０００５】
上記課題を解決するために成された本発明に係る疑似餌用スカートは、フックを有するヘッドを備えた疑似餌の前記ヘッド部に一端が固定された弾性部材からなる多数の紐状体から構成され、前記紐状体の少なくとも一部をテープ状（帯状）にしたことを特徴とする。
【０００６】
この場合、前記テープ状の紐状体の少なくとも一部は、表裏面の流体抵抗が異なるように、例えば、一方の面に多数の凹凸を設けたり、両面に異なる形状の多数の凹凸を設けたりすると良い。
【発明の効果】
【０００７】
本発明に係る疑似餌用スカートでは、紐状体の少なくとも一部をテープ状に構成したことにより、水中に疑似餌が投入されたときに前記テープ状の紐状体が水流によって大きく揺動する。従って、スカート全体としての動きが複雑になり、対象魚の誘引効果が向上する。
【０００８】
また、テープ状の紐状体の表裏面の流体抵抗を異ならせることにより、紐状体の動きが一層複雑なものとなる。更に、紐状体の表裏面の少なくとも一方に多数の凹凸を設けることにより光を乱反射することができるため、対象魚を視覚的に誘引する効果も得られる。
【発明を実施するための最良の形態】
【０００９】
以下、本発明の具体的な実施例を図面を用いて説明する。
図１ないし図３は、本発明をラバージグ型疑似餌(ラバージグ)に適用した第１の実施例を示している。
本実施例に係るラバージグ１０は、鉛などで形成されたジグヘッド１１、このジグヘッド１１に固定された釣り糸用アイ１２及びフック１３、スカート１４から構成される。前記スカート１４は、フック１３を取り囲むようにジグヘッド１１に取り付けられた複数の紐状体１５から構成されている。紐状体１５は柔軟性を有する例えばシリコン樹脂製の素材から構成されており、断面が長方形状のテープ状をなしている。
各紐状体１５は、幅広な二面が内側面及び外側面となるように針金等の結束具によってジグヘッド１１に取り付けられている。
【００１０】
前記スカート１４は２種類の紐状体１５から構成されている。これら２種類の紐状体１５は、互いに混ざり合った状態でスカート１４を構成している。２種類の紐状体１５は、幅寸法や長さ寸法等はほぼ同じであるが、次の点で異なっている。具体的には、一方の紐状体１５は表裏面が平滑な面から構成されている(図２（ａ）参照）。他方の紐状体１５は、幅広な面である表裏面の一方に多数の直方体状の凸部１６が設けられている(図２（ｂ）参照）。多数の凸部１６は紐状体１５の幅いっぱいに延びており、互いに平行に配置されている。
【００１１】
上記ラバージグ１０が水中に投入されると、スカート１４を構成する紐状体１５は周囲の水流によってヒラヒラと揺動する。また、釣り竿を上下に揺動させてラバージグ１０を上下動させるとスカート１４が開閉するように紐状体１５が揺動する。
このとき、凸部１６を有する紐状体１５は表裏面の流体抵抗が異なるため、例えば図３に示すような上から下に向かう水流Ａが周囲に発生したときに、紐状体１５の両面に不均等な力が作用する。このため、紐状体１５は大きく、且つ、不規則に揺動する。
一方、凸部がない紐状体１５は平滑な表裏面にほぼ均等な力が作用するため、上から下に向かう水流によって大きく揺動することなく水流に従う（図９参照）。
【００１２】
このように、動きが異なる２種類の紐状体１５からスカート１４が構成されているため、水中におけるスカート１４の動きが複雑なものとなり、対象魚の誘引効果が向上する。また、いずれの紐状体１５も従来の紐状体に比べて幅広であるため、水流を受け易く、スカート１４の動きを大きくすることができる。更に、凸部１６を有する紐状体１５は揺動する際に光を乱反射する。このため、対象魚に対して視覚的誘引効果も得られる。
【００１３】
また、テープ状の紐状体１５とすることにより、紐状体１５の表裏面に印刷加工することができる。従って、例えばラメ等の光を反射し易い部材を紐状体１５の表裏面に印刷することにより、更なる視覚的効果を得ることができる。
【００１４】
図４は本発明の第２の実施例を示している。この実施例では、スカート１４の一部を断面形状が円形状や正方形状の紐状体１７から構成し、残りを断面形状が長方形状の紐状体１７から構成している。このように、細い繊維状の紐状体１７と幅広なテープ状の紐状体１５とを混ぜ合わせてスカートを構成した場合でも、水中におけるスカート１４の動きを複雑なものにすることができる。
【００１５】
また、ラバージグ１０が水中を移動しているときは幅広の紐状体１５の方が大きく揺れ動き、ラバージグ１０が停止したときは、軽量な細い紐状体１７の方が素早く揺れ動く。このため、第１の実施例のラバージグ１０とは異なるスカート１４の動きが得られる。
【００１６】
尚、本発明は上記した実施例に限定されるものではなく、例えば次のような変形が可能である。
スカートを構成する紐状体の全てを同じテープ状の紐状体から構成しても良い。この場合の紐状体は、凸部を有していなくてもよく、凸部を有していても良い。このような構成においても、従来の細い繊維状の紐状体からなるスカートに比べて複雑な動きを得ることができる。
【００１７】
凸部の形状は、上記した直方体状に限られない。例えば図５の(ａ）に示すような三角柱状の凸部１６や、図５の（ｂ）に示すような多数の扁平な円柱状の凸部１６を紐状体１５に設けても良い。また、紐状体１５の表裏面に異なる形状の凸部１６を設けても良い。
テープ状の紐状体の表裏面の一方或いは両方に多数の凹部を設けても良い。要は、テープ状の紐状体の表裏面の一方或いは他方に多数の凹凸が存在していればよい。
テープ状の紐状体の幅寸法や凸部の形状、大きさは、対象魚に応じた動きが得られるような任意の幅に設定することができる。
以上の構成は、いずれもスピナーベイト型疑似餌にも適用できる。
【図面の簡単な説明】
【００１８】
【図１】本発明の第１の実施例を示すラバージグの全体構成図
【図２】紐状体の構成を示す斜視図
【図３】周囲の水流による紐状体の動きを説明するための図
【図４】本発明の第２の実施例を示す図１相当図
【図５】本発明の変形例を示す紐状体の斜視図
【図６】ラバージグの従来構成を示す図
【図７】スピナーベイトの従来構成を示す図
【図８】スカートを構成する紐状体の断面形状を示す図
【図９】従来のスカートの周囲の水流による動きを説明するための図
【符号の説明】
【００１９】
１０…ラバージグ(疑似餌)
１１…ジグヘッド
１２…釣り糸用アイ
１３…フック
１４…紐状体
１５…スカート
１６…凸部
【図１】
2008187907.tif 000003
【図２】
2008187907.tif 000004
【図３】
2008187907.tif 000005
【図４】
2008187907.tif 000006
【図５】
2008187907.tif 000007
【図６】
2008187907.tif 000008
【図７】
2008187907.tif 000009
【図８】
2008187907.tif 000010
【図９】
2008187907.tif 000011